(57)【要約】 【課題】設置が容易で、火炎の時に火炎を防御し、有毒ガスが内部に流入されることを防止することができる気密性能を有する水幕形成防火ドア枠を提供すること。【解決手段】仮ドア枠の側面端部を覆う側面カバー部及び仮ドア枠の上面を覆う上面カバー部で構成される第１端部カバー部と、上記上面カバー部から上方へ突出されるように形成されるドア収容部と、前記ドア収容部の側部で上方へ段差するように形成されるドア支持部と、前記ドア支持部に隣接して構成され、仮ドア枠の対向する側面端部を覆う側面カバー部及び仮ドア枠の対向する側面上面を覆う上面カバー部で形成される第２端部カバー部と、前記ドア収容部に収容され、ドアを向ける方向に形成されたノズル部を備える第１水槽とを含み、前記ドア支持部の内部には上方に開放されるように形成されて、前記第１水槽を設置することができるように第１水槽収容部が形成され、前記第１水槽収容部の底面には前記ノズル部を収容するための貫通孔が形成されていることを特徴とする水幕形成防火ドア枠。【選択図】図１
2016514777.tif 000002
【特許請求の範囲】
【請求項１】
仮ドア枠を覆うように設置される水幕形成防火ドア枠において、
仮ドア枠の側面端部を覆う側面カバー部及び仮ドア枠の上面を覆う上面カバー部で構成される第１端部カバー部と；
上記上面カバー部から上方へ突出されるように形成されるドア収容部と、
前記ドア収容部の側部で上方へ段差するように形成されるドア支持部と、
前記ドア支持部に隣接して構成され、仮ドア枠の対向する側面端部を覆う側面カバー部及び仮ドア枠の対向する側面上面を覆う上面カバー部で形成される第２端部カバー部と；
前記ドア収容部に収容され、ドアを向ける方向に形成されたノズル部を備える第１水槽とを含み、
前記ドア支持部の内部には上方に開放されるように形成されて、前記第１水槽を設置することができるように第１水槽収容部が形成され、
前記第１水槽収容部の底面には前記ノズル部を収容するための貫通孔が形成されていることを特徴とする水幕形成防火ドア枠。
【請求項２】
仮ドア枠を覆うように設置される水幕形成防火ドア枠において、
仮ドア枠の一側端部を覆うように固定される第１カバーと；
仮ドア枠の対向する他側端部を覆うように固定される第２カバーと；
前記第２カバーに収容され、ドアを向ける方向に形成されたノズル部を備える第１水槽とを含み、
前記第１カバーは、仮ドア枠の一側端部の側面を覆う側面カバー部及び仮ドア枠の一側端部の上面を覆う上面カバー部で構成される第１端部カバー部で形成され、
前記第２カバーは、前記上面カバー部から上方へ突出されるように形成されるドア収容部と、前記ドア収容部の側部で上方へ段差するように形成されるドア支持部と、
前記ドア支持部に隣接して構成され、仮ドア枠の対向する側面端部を覆う側面カバー部及び仮ドア枠の対向する側面上面を覆う上面カバー部で形成される第２端部カバー部とで構成され、
前記ドア支持部の内部には上方に開放されるように形成されて、前記第１水槽を設置することができるように第１水槽収容部が形成され、
前記第１水槽収容部の底面には前記ノズル部を収容するための貫通孔が形成されていることを特徴とする水幕形成防火ドア枠。
【請求項３】
仮ドア枠を覆うように設置される水幕形成防火ドア枠において、
仮ドア枠の一側端部を覆うように固定される第１端部カバーと；
前記第１カバーを覆うように固定される中央カバーと；
前記中央カバーに隣接して配置されて、仮ドア枠の対向する他側端部を覆うように固定される第２端部カバーと；
前記中央カバーに収容され、ドアを向ける方向に形成されたノズル部を備える第１水槽とを含み、
前記第１端部カバーは、仮ドア枠の一側端部の側面を覆う側面カバー部及び仮ドア枠の一側端部の上面を覆う上面カバー部で構成される第１端部カバー部で形成され、
前記中央カバーは、前記上面カバー部から上方へ突出されるように形成されるドア収容部と、前記ドア収容部の側部で上方へ段差するように形成されるドア支持部とで構成され、
前記第２端部カバーは、仮ドア枠の対向する他側端部の側面を覆う側面カバー部及び仮ドア枠の一側端部の上面を覆う上面カバー部で構成される第２端部カバー部で形成され、
前記ドア支持部の内部には上方に開放されるように形成されて前記第１水槽を設置することができるように第１水槽収容部が形成され、前記第１水槽収容部の底面には前記ノズル部を収容するための貫通孔が形成されていることを特徴とする水幕形成防火ドア枠。
【請求項４】
前記端部カバー部と、ドア収容部と、ドア支持部とが一体に形成されることを特徴とする請求項1に記載の水幕形成防火ドア枠。
【請求項５】
前記第１端部カバー部の水平に延長された上面カバー部を収容するために、前記ドア支持部の上端部に第１溝部が形成されていることを特徴とする請求項２に記載の水幕形成防火ドア枠。
【請求項６】
前記第１端部カバー部の水平に延長された上面カバー部を収容するために、前記ドア支持部の上端部に第１溝部が形成され、前記第２端部カバー部の水平に延長された上面カバー部を収容するため、前記ドア収容部の上端部に第２溝部が形成されていることを特徴とする請求項３に記載の水幕形成防火ドア枠。
【請求項７】
前記ドア支持部で前記ドア収容部に隣接した段差端部にはガスケットを収容するための挿入溝が形成されていることを特徴とする請求項１〜３の中の何れか一項に記載の水幕形成防火ドア枠。
【請求項８】
前記第１水槽には外部から水を供給するための水路が連結されることを特徴とする請求項１〜３の中の何れか一項に記載の水幕形成防火ドア枠。
【請求項９】
前記水路には手動または自動で開閉が調節されるバルブが設置されていることを特徴とする 請求項８に記載の水幕形成防火ドア枠。
【請求項１０】
前記第１端部カバー部の内側方向に仮ドア枠に凹溝を形成し、前記第１端部カバー部に前記凹溝に収容され、内部が閉鎖空間で形成される第２水槽収容部が形成されることを特徴とする請求項１〜３の中の何れか一項に記載の水幕形成防火ドア枠。
【請求項１１】
一側端部にドアを収容するように形成されるドア収容部と、
前記ドア収容部に対して上方へ段差するように形成されるドア支持部とで構成され、
前記ドア支持部の内部には閉鎖空間で構成される第１水槽収容部が形成され、
前記第１水槽収容部の底面にはドアを向ける方向に第１ノ−ズル孔が形成されていることを特徴とする水幕形成防火ドア枠。
【請求項１２】
請求項１〜３の中の何れか一項に記載の水幕形成防火ドア枠を施工する方法において、
水幕形成防火ドア枠のドアの上端部及側端部の何れかの一方または両方に水幕形成防火ドア枠を施工することを特徴とする 水幕形成防火ドア枠施工方法。
【請求項１３】
前記上端部に設置される水幕形成防火ドア枠の第１水槽と、側端部に設置される水幕形成防火ドア枠の第１水槽は一体に形成されることを特徴とする請求項１２に記載の水幕形成防火ドア枠施工方法。
【請求項１４】
ドアの側端部に施工される水幕形成防火ドア枠のノズル部の中心線の延長線がドアの上部に施工される水幕形成防火ドア枠のノズル部の中心線の延長線と互いに交差するように水幕形成防火ドア枠を施工することを特徴とする請求項１２に記載の水幕形成防火ドア枠施工方法。
【請求項１５】
請求項９に記載の水幕形成防火ドア枠を含む水幕形成防火ドア枠システムにおいて、
前記水幕形成防火ドア枠が設置された空間には給気装置がさらに設置され、
前記給気装置は、外部の空気を流入して前記空間に供給するための換気扇と、前記換気扇を駆動するための非常動力部とを備え、
前記換気扇は前記バルブが開放される時同時に作動するように制御されることを特徴とする水幕形成防火ドア枠システム。
【発明の詳細な説明】
【技術分野】
【０００１】
本発明は水幕形成防火ドア枠及びその施工方法に関するもので、より詳しくは、住宅等の全ての建築物の施工時、例えば、共用トイレ等のように水があり、可燃性素材がない空間に水幕形成防火ドア枠を設置して、火炎の時に火炎と有毒ガスが内部に流入されることを防止する給気装置と撒水装置を設置して、障害者や老弱者を含み人命を救済することができる水幕形成防火ドア枠に関するものである。
【背景技術】
【０００２】
近来、アパート及び住商複合建物などが高層化されてたくさん建築されている。
【０００３】
しかし、高層アパート及び高層建物で火炎が発生する場合、消防車の梯子も火炎鎭圧のために近付くことができない問題点がある。
【０００４】
最近、このような問題点を防止するために、高層建物には火炎の時に備えて待避区域を別途に設定するように規定している。
【０００５】
しかし、このような規定が制定される前に建てられた高層アパートや建物にはこの規制が適用されなくて高層にも拘らず待避所が決まっていなくて問題になっている。
【０００６】
また、規定によって待避所が設置された建物でも室内の建築材料が大部分可燃性素材で構成されて、火炎に容易に燃焼されて炎に包まれるようになるため、室内から脱出して待避所に移動することさえ難しい。
【０００７】
このような問題点を解決するために韓国登録実用新案２０−０３３１７６８では合板の間に不燃シートを挿入する木材で構成された防火ドアが開示されている。
【０００８】
防火ドアの場合、火炎に対する耐火性の側面では有效であるが、有毒ガスに対する耐密性は相変らず脆弱して問題になる。
【発明の概要】
【発明が解決しようとする課題】
【０００９】
本発明は上記のような問題点を解決するためのもので、設置が容易で、火炎の時に火炎を防御し、有毒ガスが内部に流入されることを防止することができる気密性能を有する水幕形成防火ドア枠を提供することを技術的課題とする。
【課題を解決するための手段】
【００１０】
本発明は前述した課題を解決するために、仮ドア枠を覆うように設置される水幕形成防火ドア枠であって、仮ドア枠の側面端部を覆う側面カバー部及び仮ドア枠の上面を覆う上面カバー部で形成される第１端部カバー部と、上記上面カバー部から上方へ突出されるように形成されるドア収容部と、上記ドア収容部の側部で上方へ段差するように形成されるドア支持部と、上記ドア支持部に隣接して構成され、仮ドア枠の対向する側面端部を覆う側面カバー部及び仮ドア枠の対向する側面上面を覆う上面カバー部で形成される第２端部カバー部と、上記ドア収容部に収容され、ドアを向ける方向に形成されたノズル部を備える第１水槽とを含み、上記ドア支持部の内部には上方に開放されるように形成されて上記第１水槽を設置することができるように第１水槽収容部が形成され、上記第１水槽収容部の底面には上記ノズル部を収容するための貫通孔が形成されていることを特徴とする。
【００１１】
本発明は前述した課題を解決するため、仮ドア枠を覆うように設置される水幕形成防火ドア枠であって、仮ドア枠の一側端部を覆うように固定される第１カバーと、仮ドア枠の対向する他側端部を覆うように固定される第２カバーと、上記第２カバーに収容され、ドアを向ける方向に形成されたノズル部を備える第１水槽とを含み、上記第１カバーは、仮ドア枠の一側端部の側面を覆う側面カバー部及び仮ドア枠の一側端部の上面を覆う上面カバー部で構成される第１端部カバー部で形成され、上記第２カバーは、上記上面カバー部から上方へ突出されるように形成されるドア収容部と、上記ドア収容部の側部で上方へ段差するように形成されるドア支持部と、上記ドア支持部に隣接して構成され、仮ドア枠の対向する側面端部を覆う側面カバー部及び仮ドア枠の対向する側面上面を覆う上面カバー部で形成される第２端部カバー部とで構成され、上記ドア支持部の内部には上方に開放されるように形成されて、上記第１水槽を設置することができるように第１水槽収容部が形成され、上記第１水槽収容部の底面には上記ノズル部を収容するための貫通孔が形成されていることを特徴とする。
【００１２】
本発明は前述した課題を解決するために、仮ドア枠を覆うように設置される水幕形成防火ドア枠であって、仮ドア枠の一側端部を覆うように固定される第１端部カバーと、上記第１カバーを覆うように固定される中央カバーと、上記中央カバーに隣接して配置されて、仮ドア枠の対向する他側端部を覆うように固定される第２端部カバーと、上記中央カバーに収容され、ドアを向ける方向に形成されたノズル部を備える第１水槽とを含み、上記第１端部カバーは、仮ドア枠の一側端部の側面を覆う側面カバー部及び仮ドア枠の一側端部の上面を覆う上面カバー部で構成される第１端部カバー部で形成され、上記中央カバーは、上記上面カバー部から上方へ突出されるように形成されるドア収容部と、上記ドア収容部の側部で上方へ段差するように形成されるドア支持部で構成し、上記第２端部カバーは、仮ドア枠の対向する他側端部の側面を覆う側面カバー部及び仮ドア枠の一側端部の上面を覆う上面カバー部で構成される第２端部カバー部で形成され、上記ドア支持部の内部には上方に開放されるように形成されて上記第１水槽を設置することができるように第１水槽収容部が形成され、上記第１水槽収容部の底面には上記ノズル部を収容するための貫通孔が形成されていることを特徴とする。
【００１３】
本発明の水幕形成防火ドア枠において、上記端部カバー部、ドア収容部、ドア支持部が全部一体に形成されることを特徴とする。
【００１４】
本発明の水幕形成防火ドア枠において、上記第１端部カバー部の水平に延長された上面カバー部を収容するために、上記ドア支持部の上端部に第１溝部が形成されていることを特徴とする。
【００１５】
本発明の水幕形成防火ドア枠において、上記第１端部カバー部の水平に延長された上面カバー部を収容するために、上記ドア支持部の上端部に第１溝部が形成され、上記第２端部カバー部の水平に延長された上面カバー部を収容するために、上記ドア収容部の上端部に第２溝部が形成されていることを特徴とする。
【００１６】
本発明の水幕形成防火ドア枠において、上記ドア支持部で上記ドア収容部に隣接した段差端部にはガスケットを収容するための挿入溝が形成されていることを特徴とする。
【００１７】
本発明の水幕形成防火ドア枠において、上記第１水槽には外部から水を供給するための水路が連結されることを特徴とする。
【００１８】
本発明の水幕形成防火ドア枠において、上記水路には手動または自動で開閉が調節されるバルブが設置されていることを特徴とする。
【００１９】
本発明の水幕形成防火ドア枠において、上記第１端部カバー部の内側方向へ仮ドア枠に凹溝を形成し、上記第１端部カバー部に上記凹溝に収容され、内部が閉鎖空間で形成される第２水槽収容部が形成されることを特徴とする。
【００２０】
本発明の水幕形成防火ドア枠において、一側端部にドアを収容するように形成されるドア収容部と、上記ドア収容部に対して上方へ段差するように形成されるドア支持部とで構成され、上記ドア支持部の内部には閉鎖空間で形成される第１水槽収容部が形成され、上記第１水槽収容部の底面にはドアを向ける方向に第１ノ−ズル孔が形成されていることを特徴とする。
【００２１】
本発明の水幕形成防火ドア枠の施工方法において、水幕形成防火ドア枠のドアの上端部及側端部の何れか一方または両方に水幕形成防火ドア枠を施工することを特徴とする。
【００２２】
本発明の水幕形成防火ドア枠の施工方法において、上記上端部に設置される水幕形成防火ドア枠の第１水槽と側端部に設置される水幕形成防火ドア枠の第１水槽は一体に形成されることを特徴とする。
【００２３】
本発明の水幕形成防火ドア枠施工方法において、ドアの側端部に施工される水幕形成防火ドア枠のノズル部の中心線の延長線がドアの上部に施工される水幕形成防火ドア枠のノズル部の中心線の延長線と互いに交差するように水幕形成防火ドア枠を施工することを特徴とする。
【００２４】
本発明の水幕形成防火ドア枠システムで、上記水幕形成防火ドア枠が設置された空間には給気装置がさらに設置され、上記給気装置は、外部の空気を流入して上記空間に供給するための換気扇と、上記換気扇を駆動するための非常動力部とを備え、上記換気扇は上記バルブが開放される時同時に作動するように制御されることを特徴とする。
【発明の効果】
【００２５】
本発明の水幕形成防火ドア枠は水があるトイレを待避空間として活用して、アパート等の全ての建築物に設置する。既存の住宅や建築物のドア枠も補修工事を通じて既存のドア枠を利用して水幕形成防火ドア枠を設置することができるので人命被害を減らし、費用及び時間が節約される効果を奏する。
【００２６】
本水幕形成防火ドア枠は、火炎発生の時、ドア枠からドアの表面に水を噴射することで噴射された水がドアの下に下ってドアの表面に水幕を形成してドアが燃焼されないようにし、それにより、ドアの燃焼による火炎と有毒ガス発生を防止する効果を奏する。
【００２７】
また、ドアに噴射された水はドアとドア枠の間にも浸潤するようになって水幕を形成し、給気装置と撒水装置で外部から発生した有毒ガスが隙間を通じて内部に流入されることを防止する効果を奏する。
【００２８】
水噴射口をドア枠の上部だけてなくドア枠の両側上端部にも設置してドアの上端部角部分にも水を噴射することができてドアの耐火性が増大される効果を奏する。
【００２９】
水幕形成防火ドア枠にはガスケットが附着していて普段にはドアの衝撃音を吸収し、火炎の時には気密を形成して有毒ガスの流入を防止する効果を奏する。
【００３０】
一方、ドアの外側だけではなく、必要によってドアの内側にも第２水槽が設置されて水を噴射することができる構造としてドアの内外側に全部水幕を形成して防火性能をさらに改善させることができるようになる効果を奏する。
【図面の簡単な説明】
【００３１】
【図１】本発明の水幕形成防火ドア枠の断面を示した図面である。
【図２】本発明の水幕形成防火ドア枠と水路の連結状態を示した図面である。
【図３】本発明の水幕形成防火ドア枠の作用状態を示した図面である。
【図４】本発明の水幕形成防火ドア枠の他の実施例を示した図面である。
【図５】本発明の水幕形成防火ドア枠のまた他の実施例を示した図面である。
【図６】本発明の水幕形成防火ドア枠システムを示した図面である。
【図７】本発明の水幕形成防火ドア枠の第２実施例を示した図面である。
【図８】本発明の水幕形成防火ドア枠の第２実施例の他の場合を示した図面である。
【図９】本発明の水幕形成防火ドア枠の第３実施例を示した図面である。
【図１０】本発明の水幕形成防火ドア枠の第４実施例を示した図面である。
【発明を実施するための形態】
【００３２】
以下、図面を参照して本発明の一実施例について説明する。
【００３３】
［第１実施例］  
図１は本発明の水幕形成防火ドア枠の断面を示した図面である。
【００３４】
本発明の水幕形成防火ドア枠１０は木材または合成樹脂材で形成されることができ、第１実施例は第１端部カバー部１００と、ドア収容部２００と、ドア支持部３００と第２端部カバー部４００とが一体に構成される場合である。
【００３５】
第１端部カバー部１００は仮ドア枠Ｆの側面端部を覆う側面カバー部１１０及び仮ドア枠１０００の上面を覆う上面カバー部１２０で構成され、仮ドア枠の一側端部に形成される。
【００３６】
上面カバー部１２０の内側には上方へ突出されるように形成されるドア収容部２００が形成される。
【００３７】
ドア収容部２００はドアＤの側端部や上端部を支持及び収容する作用をする。
【００３８】
ドア収容部２００の側部には上方へ段差するようにドア支持部３００が形成される。
【００３９】
ドア支持部３００の内部には上部が開放されるように形成される第１水槽収容部３１０が形成されている。
【００４０】
第１水槽収容部３１０の下側底面部には第１ノズル部７１０を収容するための第１貫通孔３２０が形成されている。
【００４１】
ドア支持部３００でドア収容部２００に隣接した段差する側面にはガスケット５００の挿入のための凹溝３３０が形成されている。
【００４２】
ドア支持部３００に隣接して第２端部カバー部４００が形成され、仮ドア枠Ｆの側面端部を覆う側面カバー部４１０及び仮ドア枠１０００の上面を覆う上面カバー部４２０で形成される。
【００４３】
図２は本発明の水幕形成防火ドア枠において第１水槽を示した図面である。
【００４４】
第１水槽７００はステンレスのような耐腐食性を有する金属素材で構成され、第１水槽収容部３１０に収容されることができるように対応する形状を有するように形成される。
【００４５】
第１水槽７００は下部端部にドアを向けるように傾斜するように形成された第１ノズル部７１０が形成されている。
【００４６】
第１水槽７００は第１水槽収容部３１０が内部に装着され、第１水槽７００の第１ノズル部７１０はドア支持部３００に形成された第１貫通孔３２０に挿入され、この時、第１ノズル部７１０はドアを向ける方向に設置される。
【００４７】
第１水槽７００の側部や上部には、図２に示すように、水路６００が連結され、水路６００にはバルブ６１０が設置される。
【００４８】
バルブ６１０は手動で操作されるか、または建物内の火炎監視センサー（図示しない）などを通じて自動に操作されることができるように構成される。
【００４９】
本発明の水幕形成防火ドア枠は特にトイレのドア戸に設置されることが好ましい。その理由は水路を確保することが他の内部空間より有利であるからである。
【００５０】
また、トイレには換気施設が設置されており、有毒ガスの排出が比較的容易で、水があるので火炎に対する対応が有利であるからである。
【００５１】
次に、水幕形成防火ドア枠の作用について説明する。図３は本発明の水幕形成防火ドア枠の作用状態を示した図面である。
【００５２】
火炎が発生すると、手動操作または建物に設置された火炎感知センサー（図示しない）によって自動にバルブ６１０が開放される。
【００５３】
バルブ６１０が開放されると、水路を通じて水が第１水槽７００に流入されて、複数の第１ノズル部７００を通じて水がドアを向けて噴射される作用をする。
【００５４】
第１ノズル部７１０から噴射された水はドアの表面に噴射されるので、ドアに沿って流れながらドアの全体に水幕を形成する。
【００５５】
従って、ドアに形成された水幕によってドアが燃焼されることが防止される作用をする。
【００５６】
ドアに噴射された水はドアに沿って流れながらドアと水幕形成防火ドア枠１０との間の隙間にも染み込んで気密を形成して有毒ガスが内部に流入されることを防止する作用をする。
【００５７】
また、本発明の水幕形成防火ドア枠１０にはガスケット５００が形成されて、普段にはドアの衝撃を緩衝する作用をし、火炎の時には、隙間に染みこんだ水幕とともに有毒ガスが内部に隙間を通じて浸透されることを二重的に防止する作用をする。
【００５８】
特に、本発明の水幕形成防火ドア枠１０は既存のドア枠を解体しなくても設置することができるように構成されているので設置が容易で且つ経済的費用や努力が節約されるという長所を有する。
【００５９】
図４は本発明の水幕形成防火ドア枠の他の実施例の作用状態を示した図面である。
【００６０】
本発明の他の実施例では、水幕形成防火ドア枠がドアの上端部のみに設置されるのではなく、ドアの側端部にもさらに設置されることができる。
【００６１】
ドアの側端部にも水幕形成防火ドア枠が設置される場合、第１水槽７００は垂直部と水平部が一体に
2016514777.tif 000003
形状に形成される。
【００６２】
水幕形成防火ドア枠がドアの上端部のみに設置される場合、ドアの上端部の中央では両側に隣接する第１ノズル部７１０から噴射される水が互いに衝突しながら飛び散ってドアの表面に水幕が形成されるので耐火性に大きな問題が発生しない。
【００６３】
しかし、ドアの上端部の両角部ａではドアの中央側のみに第１ノズル部７１０を形成し、ドアの端部側には第１ノズル部７１０を形成していないため水の噴射が十分行われず耐火性に問題が発生する。
【００６４】
ドアの側端部にも水幕形成防火ドア枠１０を設置する場合、側端部の水幕形成防火ドア枠１０から噴射される水とドアの上端部の水幕形成防火ドア枠１０から噴射される水が互いに衝突してドアの上端部角ａにも水が供給されて水幕を形成することによって耐火性を有するようになる作用をする。
【００６５】
また、図４に示すように、ドアの側端部に施工される水幕形成防火ドア枠の第１ノズル部７１０の中心線の延長線がドアの上部に施工される水幕形成防火ドア枠の第１ノズル部７１０の中心線の延長線と互いに交差するように施工することが好ましい。
【００６６】
このように構成する場合、ドアの上端部の水幕形成防火ドア枠のノ−ズル孔から噴射された水とドアの側端部の水幕形成防火ドア枠のノ−ズル孔から噴射された水の衝突作用がさらに活発になって、ドアの上端部角ａに対する冷却効果がさらに確実になる。
【００６７】
図５は本発明の水幕形成防火ドア枠のまた他の実施例を示した図面である。
【００６８】
本発明のまた他の実施例ではドアの外側だけでなくドアの内側にも水幕が形成されるようにできる。
【００６９】
ドア支持部３００の対向端部で仮ドア枠１０００の内側に凹溝１０１０を形成し、凹溝１０１０を覆う第１端部カバー部１００は上記凹溝１０１０に収容されることができ、内部に閉鎖空間で形成される第２水槽収容部１３０を形成する。
【００７０】
第２水槽収容部１３０の底面部にもドアを向ける方向に貫通されるように第２ノ−ズル孔１４０が形成されている。
【００７１】
第２水槽収容部１３０には第２水槽８００が収容され、第２水槽８００も第１水槽７００と同じく下部端部にはドアを向けて傾斜するように形成された第２ノズル部７１０が形成される。
【００７２】
第２ノズル部７１０はドア支持部３００に形成された第２貫通孔１４０に挿入され、この時、第２ノズル部８１０はドアを向ける方向に設置される。
【００７３】
第２水槽８００にも水路６００を通じて水が供給されるように形成され、火炎の発生時、第１水槽７００はドアの外側に水幕を形成する作用をし、第２水槽８００はドアの内側に水幕を形成する作用をして、ドアの内外側で水幕を形成して、耐火性能及び有毒ガスの気密作用がさらに倍加される効果を奏する。
【００７４】
図６は本発明の水幕形成防火ドア枠が設置されたシステムを示した図面である。
【００７５】
本発明の水幕形成防火ドア枠は共用トイレと空間Ｒに設置されることができる。この時、外部の空気を空間Ｒに流入するための給気装置９００がさらに設置されることができる。
【００７６】
給気装置９００は外部空気を流入して空間Ｒの内部に供給するための換気扇９１０と、上記換気扇９１０を回転させるための動力を供給する非常動力部９２０とで構成される。
【００７７】
換気扇９１０は共用トイレに設置される。換気扇９１０は共用トイレが外部に露出した場合、共用トイレの窓に設置して外部空気が空間Ｒに流入されるように構成されることができる。
【００７８】
また、共用トイレが外部に露出しない場合には、図６に示したように、換気扇９１０を共用トイレに設置されたが共用トイレが設置する場合、建物の外壁と換気扇９１０との間に別途の吸入ダクト９３０を通じて空間Ｒに流入されるように構成されることも可能である。
【００７９】
また、換気扇９１０を駆動するための非常動力部９２０は火炎や地震等の自然災害で正常な電源供給が中止された時に作動するように構成される。
【００８０】
換気扇９１０の送風部には複数の出口９４１を備える送風ダクト９４０をさらに設置して空間Ｒの内部に多数の方向で外部空気を供給することができる。
【００８１】
本実施例の作用を説明すれば、火炎の発生などで制御部６２０を手動操作または火炎感知センサー６２１によってバルブ６１０が開放されれば、同時に制御部６２０では換気扇９１０も作動させるようになる。
【００８２】
換気扇９１０の作動によって外部空気が空間Ｒの内部に流入されることによって空間Ｒの内部の圧力が増加され、火炎の発生によって空間Ｒの外部から内部に流入されようとする有害ガスの流入が遮断される効果を奏する。
【００８３】
特に、本実施例ではドアとドア枠との間に外部の有害ガスが流入されることが防止される作用をする。
【００８４】
［第２実施例］  
図７は本発明の水幕形成防火ドア枠の第２実施例を示した図面である。
【００８５】
本発明の第２実施例は一体に形成される第１実施例の場合と違って水幕形成防火ドア枠が二つのカバーで構成される場合に対するものである。
【００８６】
即ち、第２実施例の水幕形成防火ドア枠１０は第１端部仮ドア枠の一側端部を覆うように固定される第１カバー２０と、仮ドア枠の対向する他側端部を覆うように固定される第２カバー３０とで構成される。
【００８７】
第１カバー２０は第１実施例の第１端部カバー部１００と同じ構成で、ただ上面カバー部１２０が第１実施例の場合よりさらに水平方向に長く形成される点で相異する。
【００８８】
第２カバー３０は第１実施例のドア収容部２００と、ドア支持部３００及び第２端部カバー部４００が一体に形成される。
【００８９】
ただ、水平方向に延長された第１カバー２０の上面カバー部１２０を収容するために、ドア支持部２００の上端部で第１カバー２０側に第１溝部２１０が形成されているという点が第１実施例の場合と相異する。
【００９０】
その他、ドア支持部３００及び第２端部カバー部４００の構成は第１実施例の場合と同じ構成である。
【００９１】
また、第１実施例の場合と同じく、第１水槽７００の端部には水路６００が連結され、水路６００にはバルブ６１０が設置される。
【００９２】
第１実施例における撒水を通じるドア燃焼防止及び有毒ガス流入防止作用効果も同じである。
【００９３】
第１実施例と異なる作用効果として、第１実施例の場合、仮ドア枠の幅が異なる場合幅の大きさによって別途に水幕形成防火ドア枠を製作しなければならないため煩雑であり、一方、第２実施例の場合には二つのカバーで形成されるので仮ドア枠の幅が異なる場合にも同じ製品で設置される幅の間隔を調節することによって設置が可能になり、別途の幅サイズを有する水幕形成防火ドア枠を製作しなくても良い点で相異する。
【００９４】
図８は本発明の水幕形成防火ドア枠の第２実施例の他の場合を示した図面である。
【００９５】
図８は水幕形成防火ドア枠が二つで形成されながら図５に示した実施例のように、ドアの内部及び外部に全部水噴射部が形成された場合を示す。
【００９６】
即ち、ドア支持部３００の対向端部で仮ドア枠１０００の内側に凹溝１０１０を形成し、凹溝１０１０を覆う第１端部カバー部１００は上記凹溝１０１０に収容されることができ、内部に閉鎖空間で形成される第２水槽収容部１３０を形成する。
【００９７】
第２水槽収容部１３０の底面部にもドアを向ける方向に貫通されるように第２ノ−ズル孔１４０が形成されている。
【００９８】
第２水槽収容部１３０には第２水槽８００が収容され、第２水槽８００も第１水槽７００と同じく下部端部にはドアを向けるように傾斜するように形成された第２ノズル部７１０が形成される。
【００９９】
第２ノズル部７１０はドア支持部３００に形成された第２貫通孔１４０に挿入され、この時、第２ノズル部７１０はドアを向ける方向に設置される。
【０１００】
第２水槽８００にも水路６００を通じて水が供給されるように形成され、火炎発生の時、第１水槽７００はドアの外側に水幕を形成する作用をし、第２水槽８００はドアの内側に水幕を形成する作用をすることによってドアの内外側で水幕を形成して、耐火性能及び有毒ガスの気密作用がさらに倍加する効果を奏する。
【０１０１】
［第３実施例］  
図９は本発明の水幕形成防火ドア枠の第３実施例を示した図面である。
【０１０２】
本発明の第３実施例は第２実施例の第２カバー３０で第２端部カバー部４００が別途に形成されることによって水幕形成防火ドア枠が三つのカバーで構成される場合である。
【０１０３】
第３実施例の水幕形成防火ドア枠１０は仮ドア枠の一側端部を覆うように固定される第１端部カバー４０、中央カバー５０及び仮ドア枠の対向する他側端部を覆うように固定される第２端部カバー６０で構成される。
【０１０４】
第１端部カバー４０は第２実施例の第１カバー２０と同様に形成される。
【０１０５】
中央カバー５０はドア収容部２００及びドア支持部３００のみで構成され、第２実施例の場合と違って第２端部カバー部４００は含まない。
【０１０６】
第３実施例で中央カバー５０のドア収容部２００には、水平方向に延長された第１端部カバー４０の上面カバー部１２０を収容するために、ドア支持部２００の上端部で第１端部カバー４０側に第１溝部２１０が形成されている点は第２実施例の場合と同じである。
【０１０７】
第２端部カバー部６０は第２実施例で第２端部カバー部４００が分離して形成された構成であるが上面カバー部４２０が水平方向に延長されるように形成される。
【０１０８】
中央カバー５０のドア収容部２００には、水平方向に延長された第２端部カバー６０の上面カバー部４２０を収容するためにドア支持部２００の上端部で第２端部カバー６０側に第２溝部３４０が形成されている。
【０１０９】
その他、ドア支持部３００の内部に水を収容するための第１水槽７００を収容するための第１水槽収容部３１０が形成され、水槽収容部３１０に第１ノズル部７１０が挿入される第１貫通孔３２０が形成される構成は第１実施例、２実施例の場合と同じである。
【０１１０】
また、第１実施例、第２実施例の場合のように、ドア支持部３００でドア収容部２００に隣接した段差する側面にはガスケット５００の挿入のための凹溝３３０が形成されている。
【０１１１】
また、第１実施例、第２実施例の場合と同じく、第１水槽７００の端部には水路６００が連結され、水路６００にはバルブ６１０が設置される。
【０１１２】
撒水を通じるドア燃焼防止及び有毒ガス流入防止作用効果も第１実施例、第２実施例の場合と同じである。
【０１１３】
三つのカバーで水幕形成防火ドア枠を形成する第３実施例は二つのカバーで水幕形成防火ドア枠を形成する第２実施例に比べて仮ドア枠の幅がさらに大きい場合にも適用可能であるという長所を有する。
【０１１４】
本発明の第２実施例、第３実施例でも第１実施例のようにドアの側部に水幕形成防火ドア枠を形成してドアの上端角部に対する耐火性を確保するようにできる。
【０１１５】
［第４実施例］  
図１０は本発明の水幕形成防火ドア枠の第４実施例を示した図面である。
【０１１６】
本発明の第４実施例ではドアがドア枠の端部に設置される場合として、ドア枠の背面空間を水収容部として活用してドア枠からドアに水が噴射されるようにノ−ズル孔を形成して、水幕形成防火ドア枠として用いる場合であるという点で、ドアがドア枠の中央に設置されながら仮ドア枠に設置される第１実施例〜第３実施例と実施例が相異である。
【０１１７】
第４実施例の水幕形成防火ドア枠は仮ドア枠自体をドア収容部２００とドア支持部３００とで構成されるように形成する。
【０１１８】
ドア収容部２００はドアＤの側端部や上端部を支持及び収容する作用をする。
【０１１９】
ドア収容部２００の側部には上方へ段差するようにドア支持部３００が形成される。ドア支持部３００の内部には第１水槽収容部３１０が形成されている。第１水槽収容部３１０の端部が開放された形状で形成されることができる。
【０１２０】
第１水槽収容部３１０の下側底面部には第１ノズル部７１０が挿入されるための第１貫通孔３２０が形成されている。
【０１２１】
バルブ６１０が設置された水路６００を第１水槽７００に連結する構成は第１実施例の場合と同じである。
【０１２２】
第４実施例でも第１実施例での撒水を通じるドア燃焼防止及び有毒ガス流入防止作用効果は同じである。
【０１２３】
第４実施例の場合、内部が満たされた仮ドア枠の内部に中空空間を形成することによって重量及び材料の節減を図ると同時に、このような中空空間を第１水槽７１０を収容するための第１水槽収容部３１０として活用する効果を奏する。
【０１２４】
本発明の第２〜第４実施例でも第１実施例のように、ドアの側部に水幕形成防火ドア枠を形成してドアの上端角部に対する耐火性を確保するようにできる。
【０１２５】
また、本発明の第２〜第３実施例でも第１実施例のように、第１端部カバー部にドア支持部３００の対向端部で仮ドア枠１０００の内側に形成された凹溝１０１０に挿入されるように端部カバー部１００に第２水槽収容部１３０の構成を形成することによって、ドアの内側及び外側に全部水幕を形成する作用も同じくすることができる。
【０１２６】
前述した実施例は水幕形成防火ドア枠を一つ〜三つで形成する構成について説明したが、本発明の技術的範囲はこれに限定されるのではない。
【０１２７】
本明細書で直接示していないが、四つまたはその以上の複数のカバーで形成される場合も本発明と同じ作用効果を有する限り、本発明の技術的範囲に含まれるものと解釈すべきである。
【産業上の利用可能性】
【０１２８】
本発明は住宅等の全ての建築物の工事の時、可燃性素材がない空間に水幕形成防火ドア枠を設置して、火炎が発生した時に火炎と有毒ガスが内部に流入されることを防止して障害者や老弱者を含む人命を救済するための防火ドア枠に関するものである。
【図１】
2016514777.tif 000004
【図２】
2016514777.tif 000005
【図３】
2016514777.tif 000006
【図４】
2016514777.tif 000007
【図５】
2016514777.tif 000008
【図６】
2016514777.tif 000009
【図７】
2016514777.tif 000010
【図８】
2016514777.tif 000011
【図９】
2016514777.tif 000012
【図１０】
2016514777.tif 000013
【国際調査報告】
2016514777.tif 000014
2016514777.tif 000015
2016514777.tif 000016
2016514777.tif 000017